(57)【特許請求の範囲】
【請求項１】
放熱部（３）を備えて放熱が必要な設備をキャビネット（４）の内部に取り付けるための取り付け装置であって、
該取り付け装置は、前記キャビネット（４）の内部に収納されるボックス体（１）を備え、前記ボックス体（１）は、側面周壁と、側面周壁の両端部にそれぞれあり、前記側面周壁を介して対向する第１取り付け面及び第２取り付け面とを含み、
前記第１取り付け面は、前記キャビネット（４）の内部において前記キャビネット（４）の後壁に設けられた開口（１２）の周りに形成され、前記開口(１２）に対応する開口を有し、
前記設備は、前記第１取り付け面よりも前記キャビネットの奥部にある第２取り付け面に取り付けられ、
前記放熱部（３）は、前記第２取り付け面を通り抜けて前記ボックス体（１）内に伸びるが、前記第１取り付け面を超えることはなく、前記第１取り付け面の開口と前記キャビネットの開口を介して外部の空気に接触することを特徴とする取り付け装置。
【請求項２】
前記設備と前記第２取り付け面の間を接続するためのフランジ（６）がさらに設けられることを特徴とする請求項１に記載の取り付け装置。
【請求項３】
前記設備は周波数変換器（２）であることを特徴とする請求項１に記載の取り付け装置。
【請求項４】
前記第１取り付け面と前記キャビネット（４）の間に密封装置が設けられることを特徴とする請求項１に記載の取り付け装置。
【請求項５】
前記第２取り付け面と前記フランジ（６）の間に密封装置が設けられることを特徴とする請求項２に記載の取り付け装置。
【請求項６】
前記密封装置は防水スポンジ又は密封パッドであることを特徴とする請求項４または５に記載の取り付け装置。
【請求項７】
前記ボックス体（１）は六面体形状であり、前記側面周壁は４つの側壁であり、各側壁が台形又は矩形であることを特徴とする請求項１〜５のいずれかに記載の取り付け装置。
【請求項８】
前記ボックス体（１）は円柱体形状であり、前記側面周壁は円周壁であることを特徴とする請求項１〜５のいずれかに記載の取り付け装置。
【請求項９】
前記第１取り付け面と前記第２取り付け面はそれぞれ前記側面周壁を取り囲む２つの対向する端部の第１辺縁（９）と第２辺縁（１０）からなることを特徴とする請求項１〜５のいずれかに記載の取り付け装置。
【発明の詳細な説明】
【技術分野】
【０００１】
本発明は設備の放熱に便利である取り付け装置分野に関し、特に放熱が必要な設備をキャビネットの内部に取り付けるための取り付け装置に関する。
【背景技術】
【０００２】
従来の技術における放熱を必要とする設備の取り付け、特に周波数変換器の取り付けには、押し通し（ｐｕｓｈ  ｔｈｒｏｕｇｈ）は幅広く使用される取り付け方式であり、即ち周波数変換器の放熱部をキャビネットに押し通す取り付け方式であり、放熱部をキャビネット外部の空気と接触させる。このように、周波数変換器の放熱部は外部空気との接触によって、より多くの熱を放出することができる。
【０００３】
図９と図１０は従来の技術における押し通し型周波数変換器の取り付け装置を示す。図９と図１０に示すように、従来の技術における押し通し型周波数変換器の取り付け装置は、周波数変換器２の一部がキャビネット４から伸び出してキャビネット４の表面を超え、該キャビネット４から伸び出した部分を周波数変換器の放熱部３として、周波数変換器２が組み立てられるキャビネット４が壁７に寄せて配置される際に、該キャビネット４から伸び出した周波数変換器の放熱部３が存在するため、キャビネット４を完全に壁７に密着して配置させることができず、これはキャビネットを取り付ける部屋のスペースを無駄にするとともに、キャビネットの外観は見苦しくなり、防塵効果が悪い。
【発明の概要】
【発明が解決しようとする課題】
【０００４】
このため、放熱を必要とする新しい取り付け装置を提供する必要があり、従来の押し通し型取り付け装置の放熱必要を満たすことができると同時に、放熱を必要とする設備を完全にキャビネットの内部に収納させることができ、このように、室内にキャビネットを配置する際に、キャビネットを壁に密着させることができ、スペースの無駄がなく、且つ良好な防塵効果を発揮する。
【０００５】
本発明は放熱を必要とする設備を完全にキャビネットの内部に収納させることができ、放熱を必要とする設備の良好な放熱を確保する取り付け装置を提供する。
【課題を解決するための手段】
【０００６】
本発明の取り付け装置の技術的解決手段は、放熱部を備えて放熱が必要な設備をキャビネットの内部に取り付けるための取り付け装置であって、該取り付け装置は、前記キャビネットの内部に収納されるボックス体を備え、前記ボックス体は、側面周壁と、側面周壁の両端部にそれぞれあり、前記側面周壁を介して対向する第１取り付け面と第２取り付け面とを含み、第１取り付け面は、キャビネットの内部において前記キャビネットの後壁に設けられた開口の周りに形成され、前記開口に対応する開口を有し、前記設備は、前記第１取り付け面よりも前記キャビネットの奥部にある第２取り付け面に取り付けられ、前記放熱部は、第２取り付け面を通り抜けてボックス体内に伸びるが、第１取り付け面を超えることはなく、前記第１取り付け面の開口と前記キャビネットの開口を介して外部の空気に接触する。
【０００７】
本発明による取り付け装置は、キャビネットに放熱を必要とする設備の放熱部を収納するボックス体が設けられ、放熱を必要とする設備を完全にキャビネットに収納されることを達成でき、且つキャビネットに開口が設けられ、ボックス体の第１取り付け面が該開口の周りに取り付けられ、且つ対応する開口も設けられ、ボックス体の内部に収納される放熱部はこの対応する開口を介してキャビネット外部の空気と接触するため、放熱を必要とする設備が稼働する際に生じた熱を効果的に放出させる。同時に、放熱を必要とする設備は完全にキャビネットの内部に収納され、放熱部がボックス体の第１取り付け面を超えず、即ちキャビネットを超えないため、放熱部がキャビネットから外へ伸び出すことがなく、このため、キャビネットを壁に密着して配置させることができる。該ボックス体の製作プロセスが簡単であり、製造コストが低く、且つ該取り付け装置が組み立てやすい。
【０００８】
好ましくは、放熱を必要とする設備と第２取り付け面の間を接続するフランジがさらに設けられる。
【０００９】
フランジを使用して、放熱を必要とする設備をボックス体の第２取り付け面に取り付け、放熱を必要とする設備とボックス体の第２取り付け面の間の接続構造を簡単にさせ、実現しやすく、従来の放熱を必要とする設備に好適であり、従来の放熱を必要とする設備構造を改造する必要がない。
【００１０】
好ましくは、第１取り付け面とキャビネットの間に密封装置が設けられる。
【００１１】
好ましくは、第２取り付け面とフランジの間に密封装置が設けられる。
【００１２】
好ましくは、前記密封装置は防水スポンジ又は密封パッドである。
【００１３】
第１取り付け面とキャビネットの間及び第２取り付け面とフランジの間にそれぞれ密封装置を設置し、キャビネットの外部に対する密封性を効果的に強化し、良好な防塵防水効果を発揮する。
【００１４】
好ましくは、ボックス体は六面体形状であり、前記側面周壁は４つの側壁であり、各側壁は台形又は矩形である。
【００１５】
好ましくは、ボックス体は円柱体形状であり、前記側面周壁は円周壁である。
【００１６】
好ましくは、第１取り付け面と第２取り付け面はそれぞれ側面周壁を取り囲む２つの対向する端部の第１辺縁と第２辺縁からなる。
【００１７】
第１辺縁及び第２辺縁はそれぞれキャビネットとフランジを接合することに用いられ、このような構造は、容易にボックス体をキャビネットに取り付けて、且つ容易に放熱を必要とする設備をボックス体に固定することができ、構造が簡単である。
【００１８】
好ましくは、放熱を必要とする設備は周波数変換器である。
【発明の効果】
【００１９】
以上のように、本発明の取り付け装置は、放熱を必要とする設備を完全にキャビネットの内部に収納させ、且つ放熱を必要とする設備の放熱部をキャビネット外部の空気と接触させることができ、放熱を必要とする設備を放熱させる目的を達成し、且つ室内にキャビネットを配置する際に、キャビネットを壁に密着させることができ、スペースの無駄がなく、良好な防塵効果を発揮する。
【図面の簡単な説明】
【００２０】
以下で、図面に示される本発明の特定の実施例を参照しながら本発明の他の利点及び特徴をさらに詳しく明らかに説明するが、本発明はこれに制限されない。図面では、
【図１】本発明による周波数変換器用取り付け装置を用いるキャビネットの前面図である。
【図２】本発明による周波数変換器用取り付け装置を用いるキャビネットの背面図である。
【図３】本発明による周波数変換器用取り付け装置を用いるキャビネットが壁に密着される模式図である。
【図４】組み立てる前のボックス体、防水スポンジ、フランジの模式図である。
【図５】本発明による周波数変換器用取り付け装置を用いるキャビネットが壁に取り付けられる模式図である。
【図６】本発明によるボックス体の正面図である。
【図７】本発明によるボックス体の側面図である。
【図８】本発明による周波数変換器をボックス体に取り付ける模式図である。
【図９】従来の技術による周波数変換器用取り付け装置を用いるキャビネットが壁に取り付けられる模式図である。
【図１０】従来の技術による周波数変換器用取り付け装置を用いるキャビネットが壁に密着される模式図である。
【発明を実施するための形態】
【００２１】
以下、図１〜図８を参照しながら本発明の周波数変換器用取り付け装置を詳細的に説明する。
【００２２】
本実施例で説明した放熱を必要とする設備は周波数変換器である。本実施例では周波数変換器のみを例示して本発明の取り付け装置を説明するが、該取り付け装置は周波数変換器に用いることができるだけでなく、該取り付け装置は、放熱部を有して、設備そのものと外部の放熱を必要とするすべての設備に用いることもできる。ここで言及した放熱を必要とする設備は通常キャビネットに取り付ける必要があり、同時に、その放熱部はキャビネット外部の空気と熱交換する必要がある。
【００２３】
図１は本発明による周波数変換器用取り付け装置を用いるキャビネットの前面図を示し、図２は本発明による周波数変換器用取り付け装置を用いるキャビネットの背面図を示す。
【００２４】
該取り付け装置は周波数変換器２に適用され、周波数変換器２がキャビネットの内部に収納され、周波数変換器２は放熱部３を含む。ボックス体１もキャビネット４の内部に収納されてキャビネット４の内部側面、即ちキャビネット壁８に取り付けられ、且つキャビネット４の内部へ突出する。ボックス体１は側面周壁１１、それぞれ側面周壁１１の両端の端部にある第１取り付け面及び第２取り付け面を含み、第１取り付け面と第２取り付け面が対向する。キャビネットの後壁に開口１２が形成され、第１取り付け面はキャビネット４の内部において該開口１２の周りに取り付けられ、第１取り付け面にも該開口１２と対応する開口を有し、周波数変換器２は第２取り付け面に取り付けられ、放熱部３は第２取り付け面を通り抜けてボックス体１内に伸びるが、第１取り付け面を超えない。
【００２５】
キャビネット４の中に周波数変換器２の放熱部３を収納するボックス体を設置することにより、周波数変換器２を完全にキャビネット４の中に収納することを実現し、且つキャビネット４に開口１２が設けられ、ボックス体１の第１取り付け面は該開口１２の周りに取り付けられ、且つ対応する開口も設けられ、ボックス体１の内部に収納される放熱部３をこの対応する２つの開口を介してキャビネット４の外部の空気に接触させるため、周波数変換器２が稼働する際に生じた熱を放出させる。周波数変換器２の放熱部３は第２取り付け面を通り抜けてボックス体１内に伸びて且つ放熱部がボックス体の第１取り付け面を超えない。即ちキャビネット４を超えないため、放熱部３がキャビネット４から外へ伸び出すことがない。このため、キャビネット４を壁に密着して配置させることができる。該ボックス体１の製作プロセスが簡単であり、製造コストが低く、且つ該取り付け装置が組み立てやすい。
【００２６】
図３は本発明による周波数変換器用取り付け装置を用いるキャビネットが壁に密着される模式図を示す。
【００２７】
図３に示すように、周波数変換器２は完全にキャビネット４の内部に収納され、放熱部３がキャビネット４から外へ伸び出すことがないため、キャビネット４を壁７に密着して配置させることができる。
【００２８】
図４は組み立てる前のボックス体１、防水スポンジ５、フランジ６の模式図を示し、図５は本発明による周波数変換器用取り付け装置を用いるキャビネットが壁に取り付けられる模式図を示す。
【００２９】
図４と図５に示すように、周波数変換器２とボックス体１の間はフランジ６によって接続される。即ち周波数変換器２はフランジ６によってボックス体１の第２取り付け面に固定して接続される。フランジ６を使用して、周波数変換器２とボックス体１の第２取り付け面を固定して接続し、周波数変換器２とボックス体１の間の接続構造を簡単にさせ、実現しやすく、従来の周波数変換器に好適であり、周波数変換器に対して付加の改造を行う必要がない。
【００３０】
図４の模式図に示すように、ボックス体１とフランジ６の間に防水スポンジ５が設けられる。同じ目的のために、ボックス体１とキャビネットの間に防水スポンジ（図示せず）が設けられる。
【００３１】
ボックス体１とキャビネットの間及びボックス体１とフランジ６の間にそれぞれ防水スポンジが設けられ、効果的にキャビネットを密封してキャビネット外部の塵と液体の浸食を避けることができる。勿論、防水スポンジは他の密封材料、例えばゴム製密封パッド又はいずれかのここで適用できる合成樹脂密封パッドを採用することもできる。
【００３２】
本実施例において、ボックス体は六面体形状であり、側面周壁が４つの側壁であり、ボックス体１の周辺の各側壁はいずれも台形である。勿論、他の形状のボックス体形式でもよく、周波数変換器の放熱部をボックス体の内部に収納することを満足すればよく、例えば、直方体形のボックス体、円柱体形状のボックス体又は楕円柱体形状のボックス体などであってもよい。
【００３３】
本実施例において、第１取り付け面と第２取り付け面はそれぞれ側面周壁を取り囲む２つの対向する端部の第１辺縁９と第２辺縁１０からなる。
第１辺縁９及び第２辺縁１０はそれぞれキャビネット４とフランジ６を接合するための第１取り付け面と第２取り付け面とし、このような構造は、容易にボックス体１をキャビネット４に取り付け、且つ容易に周波数変換器２をボックス体１に固定し、構造が簡単である。
【００３４】
勿論、第１取り付け面と第２取り付け面も辺縁の方式により構成することもでき、他の形式でもよい。また、第２取り付け面が周波数変換器に接続されることができ、周波数変換器の放熱部が該第２取り付け面を通り抜けてボックス体の内部に入ることができ、第１取り付け面がキャビネットに接続されることができ、且つ該第１取り付け面が周波数変換器の放熱部をキャビネット外部の空気に接触させることができるということを満足すればよい。本実施例のこのような配置構造はボックス体の材料とボックス体が占用したボックス体の内部のスペースを節約することに有利である。
【００３５】
以上のように、本発明による周波数変換器用取り付け装置は、周波数変換器を完全にキャビネットの内部に収納させ、且つ周波数変換器の放熱部をキャビネット外部の空気と接触させることができ、周波数変換器を放熱させる目的を達成し、且つ室内にキャビネットを配置する際に、キャビネットを壁に密着させることができ、スペースの無駄がなく、良好な防塵効果を発揮する。
【００３６】
該取り付け装置が放熱を必要とする設備に用いられる際に、本発明による取り付け装置は、放熱を必要とする設備を完全にキャビネットの内部に収納させ、且つ放熱を必要とする設備の放熱部をキャビネット外部の空気と接触させることができ、放熱を必要とする設備を放熱させる目的を達成し、且つ室内にキャビネットを配置する際に、キャビネットを壁に密着させることができ、スペースの無駄がなく、良好な防塵効果を発揮する。
【００３７】
以上、本発明を詳細に説明し、当業者にとって、本発明の実施例の趣旨にしたがって、具体的な実施形態及び応用範囲についての変更が本発明の保護範囲を逸脱しないと考え、いずれの特許請求の範囲内の変形は本発明の保護範囲に属し、以上のように、本明細書の内容が本発明を制限するものではないと理解すべきである。
【符号の説明】
【００３８】
１…ボックス体
２…周波数変換器
３…周波数変換器の放熱部
４…キャビネット
５…防水スポンジ
７…壁
８…キャビネット壁
９…第１辺縁
１０…第２辺縁
１１…側面周壁
１２…開口
【図１】
0006039808.tif 000002
【図２】
0006039808.tif 000003
【図３】
0006039808.tif 000004
【図４】
0006039808.tif 000005
【図５】
0006039808.tif 000006
【図６】
0006039808.tif 000007
【図７】
0006039808.tif 000008
【図８】
0006039808.tif 000009
【図９】
0006039808.tif 000010
【図１０】
0006039808.tif 000011